(57)【要約】【課題】プリンタ制御装置からインクジェットヘッドに正波形のインク吐出信号を常に的確に伝えることのできる、インクジェットプリンタのインクジェットヘッドに伝えるインク吐出信号の線路構造を提供する。【解決手段】インクジェットヘッドに内蔵された複数のインク吐出素子のそれぞれを駆動制御する異なる色系統及び同一の色系統のインク吐出信号を伝える複数の信号線路７２を、その複数の信号線路７２の間でクロストークが発生するのを防ぐのに必要な間隔を互いにあけて、１枚のＦＦＣ７００に纏めて並べて配置する。そして、その１枚のＦＦＣ７００に纏めて並べて配置された複数の信号線路７２のそれぞれを通して、異なる色系統及び同一色系統のインク吐出信号を、プリンタ制御装置からインクジェットヘッドに、変形のない正波形状態のまま伝えられるようにする。【選択図】        図１
2005014527.tif 000002
【特許請求の範囲】
【請求項１】
インクジェットプリンタのインクジェットヘッドの複数のノズルのそれぞれからインク滴を吐出させるインクジェットヘッドに内蔵された複数のインク吐出素子のそれぞれを駆動制御する異なる色系統及び同一色系統のインク吐出信号を伝える複数の信号線路が、その複数の信号線路の間でクロストークが発生するのを防ぐのに必要な間隔を互いにあけて、１枚のＦＦＣに纏めて並べて配置されたことを特徴とする、インクジェットプリンタのインクジェットヘッドに伝えるインク吐出信号の線路構造。
【請求項２】
前記１枚のＦＦＣの直上又は／及び直下に、複数のグランド線路が所定間隔づつあけて並べて配置されたグランドＦＦＣが、その複数のグランド線路のそれぞれの上方又は下方に前記１枚のＦＦＣに並べて配置された複数の信号線路のそれぞれを位置させて、重ねて配置されたことを特徴とする、請求項１記載のインクジェットプリンタのインクジェットヘッドに伝えるインク吐出信号の線路構造。
【請求項３】
前記グランドＦＦＣに並べて配置された複数のグランド線路のそれぞれが、そのグランド線路の上方又は下方に配置されたＦＦＣの信号線路を伝わるインク吐出信号の戻り電流を伝える線路に構成されたことを特徴とする、請求項２記載のインクジェットプリンタのインクジェットヘッドに伝えるインク吐出信号の線路構造。
【請求項４】
前記グランドＦＦＣに代えて、前記１枚のＦＦＣに、グランドプレーンで周囲側面が覆われたシールドＦＦＣが用いられたことを特徴とする、請求項１記載のインクジェットプリンタのインクジェットヘッドに伝えるインク吐出信号の線路構造。
【請求項５】
前記グランドＦＦＣ又はシールドＦＦＣに代えて、前記１枚のＦＦＣの直上又は／及び直下にグランドプレーンが配置されたことを特徴とする、請求項１記載のインクジェットプリンタのインクジェットヘッドに伝えるインク吐出信号の線路構造。
【請求項６】
前記１枚のＦＦＣの端部に接続される、プリンタ制御装置又は／及びインクジェットヘッドの制御基板に形成されたインク吐出信号を伝える複数の信号線路が、上下に重なり合ったり、互いに接近したりして、その複数の信号線路の間でクロストークが発生しないように、互いに離して配置されたことを特徴とする、請求項１、２、３、４又は５記載のインクジェットプリンタのインクジェットヘッドに伝えるインク吐出信号の線路構造。
【請求項７】
前記制御基板に形成されたインク吐出信号を伝える複数の信号線路の上方又は／及び下方に、グランドパターンが配置されたことを特徴とする、請求６記載のインクジェットプリンタのインクジェットヘッドに伝えるインク吐出信号の線路構造。
【発明の詳細な説明】
【０００１】
【発明の属する技術分野】
本発明は、インクジェットプリンタのインクジェットヘッドにインク吐出信号を伝えるのに用いられる、インクジェットプリンタのインクジェットヘッドに伝えるインク吐出信号の線路構造に関する。
【０００２】
【従来の技術】
図８に示したような、プラテン２０上方をプラテン２０表面とほぼ平行なＸ−Ｙ方向（図８の左右方向と表裏面方向）に相対的に移動させるインクジェットヘッド３０下面に並ぶノズル３２からインク滴を噴射させて、そのインク滴をプラテン２０上に搭載されたシート等のメディア１０表面の所望部位にドット状に着弾させる方式のインクジェットプリンタが周知である。このプリンタによれば、そのプラテン２０上に搭載されたメディア１０表面に複数のインクのドットの配列からなる絵図又は／及び文字をプリントできる。
このインクジェットプリンタでは、そのインクジェットヘッド３０に内蔵されたピエゾ素子などのインク吐出素子５０を駆動させて、そのインクジェットヘッド下面に並ぶノズル３２からインク滴をメディア１０表面に向けて噴射させている。インク吐出素子５０は、インクジェットヘッド外部のプリンタ制御装置６０から伝えられるＣＯＭ信号と呼ばれるインク吐出信号により、駆動制御される。インク吐出信号は、電子回路等から構成されたプリンタ制御装置６０とインクジェットヘッドとを繋いでいる、フレキシブルな帯状の長いＦＦＣ（Ｆｌｅｘｉｂｌｅ  Ｆｌａｔ  Ｃａｂｌｅ  の略）７０を通して、プリンタ制御装置６０からインクジェットヘッド３０に伝えられる。ＦＦＣ７０は、フレキシブルな帯状の絶縁樹脂板７７中に、フレキシブルな金属箔からなる信号線路等の線路７２が縦に並べて埋設された構造をしている。このように、プリンタ制御装置６０とインクジェットヘッド３０とが、フレキシブルな長いＦＦＣ７０を介して繋がれている理由は、前記のように、インクジェットヘッド３０は、プラテン２０上方をＸ−Ｙ方向に相対的に幅広く移動させる必要があるからである。それに対して、プリンタ制御装置６０は、プリンタ本体等に固定されているからである。従って、そのインクジェットヘッド３０とプリンタ制御装置６０とは、プラテン２０上方でのインクジェットヘッド３０のＸ−Ｙ方向の相対的な移動を妨げぬように、フレキシブルな長いＦＦＣ７０を介して、十分な弛みを持たせて、余裕を持って繋ぐ必要があるからである。
【０００３】
このような構造のインクジェットプリンタでは、従来一般に、そのインクジェットヘッド３０とプリンタ制御装置６０とが、例えば図１（ａ）に示したような、４枚以上等の複数枚のＦＦＣ７０を介して、互いに繋がれている。そのうちの、１枚のＦＦＣ７０ａには、例えばＹ（黄）系統の色のインク滴をインクジェットヘッド下面に並ぶノズル３２から噴射させるためのインク吐出信号などをプリンタ制御装置６０からインクジェットヘッド３０に伝える複数の線路７２が纏めて並べて配置されている。他の１枚のＦＦＣ７０ｂには、例えばＭ（赤）系統の色のインク滴をインクジェットヘッド下面に並ぶノズル３２から噴射させるためのインク吐出信号などをプリンタ制御装置６０からインクジェットヘッド３０に伝える複数の線路７２が纏めて並べて配置されている。また、もう１枚のＦＦＣ７０ｃには、例えばＣ（青）系統の色のインク滴をインクジェットヘッド下面に並ぶノズル３２から噴射させるためのインク吐出信号などをプリンタ制御装置６０からインクジェットヘッド３０に伝える複数の線路７２が纏めて並べて配置されている。さらに、もう１枚のＦＦＣ７０ｄ等には、例えばＫ（ブラック）系統の色のインク滴をインクジェットヘッド下面に並ぶノズル３２から噴射させるためのインク吐出信号などをプリンタ制御装置６０からインクジェットヘッド３０に伝える複数の線路７２が纏めて並べて配置されている。そして、それらの互いに異なる色系統のインク滴をインクジェットヘッド下面に並ぶノズル３２から噴射させるための複数の線路７２が纏めて並べて配置された４枚以上等の複数枚のＦＦＣ７０ａ，７０ｂ，７０ｃ，７０ｄが、互いに上下に重ね合わせて束ねられた状態で、コンパクトに纏めて、プリンタ制御装置６０とインクジェットヘッド３０との間に配置されている。また、その上下に重ね合わせて束ねられた複数枚のＦＦＣ７０ａ，７０ｂ，７０ｃ，７０ｄは、その中途部がＵ字状に折り曲げられる等して、十分な弛みを持たせて、プリンタ制御装置６０とインクジェットヘッド３０との間に配置されている。
【０００４】
【発明が解決しようとする課題】
ところで、上記のように、互いに異なる色系統のインク吐出信号などを伝える複数の線路７２が纏めて並べて配置された複数枚のＦＦＣ７０ａ，７０ｂ，７０ｃ，７０ｄが、互いに上下に重ね合わせて束ねられた状態で、プリンタ制御装置６０とインクジェットヘッド３０との間に配置されたインクジェットプリンタにおいては、図９に示したように、その１枚のＦＦＣ７０に並ぶインク吐出信号を伝える信号線路７２の上方又は下方に、他の１枚のＦＦＣ７０に並ぶインク吐出信号を伝える信号線路７２が接近して重なり合う状態が頻発した。そして、その上下に重なり合った一方の信号線路７２を伝わるインク吐出信号が他方の信号線路７２に混入して、それらの信号線路７２の間でクロストークが発生した。そして、その一方又は／及び他方の信号線路７２を伝わるインク吐出信号の波形が、図１０（ａ）に示したような変形のない正波形から、図１０（ｂ）に示したような雑信号が混入した複数の凹凸を持つ乱波形となってしまった。そして、その乱波形のインク吐出信号がインクジェットヘッド３０に内蔵されたピエゾ素子等のインク吐出素子５０に伝えらえると、そのインク吐出素子５０が、正常動作せずに、複雑に乱れたあいまい動作をした。その結果、そのようなあいまい動作をするインク吐出素子５０の吐出力を受けて、インクジェットヘッド下面のノズル３２から噴射されるインク滴が、細かいミスト状になったり、そのインクジェットヘッド下面のノズル３２から噴射されるインク滴のタイミングが、遅れたり、速まったり、そのインクジェットヘッド下面のノズル３２からインク滴が、誤って２回以上重ねて誤噴射されたりした。そして、そのインクジェットヘッド下面のノズル３２から噴射されたインク滴が、インクジェットヘッド３０下方のプラテン２０上に搭載されたメディア１０表面の所望部位から外れたサテライト部位に着弾したり、そのインクジェットヘッド下面のノズル３２からミスト状に噴射された複数の小粒のインク滴が、インクジェットヘッド３０下方のプラテン２０上に搭載されたメディア１０表面に広く着弾して、そのメディア１０表面を汚したりした。さらに、インク吐出素子５０が上記のような乱波形のインク吐出信号を受けた場合には、そのインク吐出素子５０がその乱波形のインク吐出信号に的確に応答し得ずに、インクジェットヘッド下面のノズル３２からインク滴が噴射されないことがあった。そして、メディア１０表面にプリントされる絵図又は／及び文字の一部に、インクのドットが存在すべき箇所にインクのドットが存在しない、いわゆるドット抜けが発生した。
【０００５】
また、これらの現象は、プリンタ制御装置６０とインクジェットヘッド３０との間に配置された、互いに異なる色系統のインク吐出信号を伝える複数の線路７２が纏めて並べて配置された複数枚のＦＦＣ７０の中途部が、上下に重ね合わせて束ねられた状態で、Ｕ字状等に折り曲げられた箇所においても、頻繁に発生した。即ち、そのような折り曲げ箇所においては、図９に示したように、その上下に重なり合うＦＦＣ７０同士が、互いに隙間なく密着した状態となるからである。そして、その１枚のＦＦＣ７０の折り曲げ箇所に並ぶインク吐出信号を伝える信号線路７２の上方又は下方に、他の１枚のＦＦＣ７０の折り曲げ箇所に並ぶインク吐出信号を伝える信号線路７２が接近して重なり合った状態となるからである。そのために、従来は、その上下に重ね合わせて束ねられた複数枚のＦＦＣ７０の中途部をＵ字状等に折り曲げる工程においては、その１枚のＦＦＣ７０の折り曲げ箇所に並ぶインク吐出信号を伝える信号線路７２の上方又は下方に、他の１枚のＦＦＣ７０の折り曲げ箇所に並ぶインク吐出信号を伝える信号線路７２が接近して重なり合わないように、十分に注意する必要があり、その管理作業に多大な手数と時間を要した。
【０００６】
また、これらに似た現象は、ラージフォーマットプリント用の大型のインクジェットプリンタにおいても、頻繁に発生しがちであった。なぜならば、そのような大型のプリンタでは、そのプラテン２０上方をＸ−Ｙ方向に相対的に移動させるインクジェットヘッド３０の移動範囲が大きくなり、そのインクジェットヘッド３０とプリンタ制御装置６０とを繋ぐＦＦＣ７０も５ｍ以上の長いものになるからである。その結果、そのＦＦＣ７０に配置されるインク吐出信号を伝える信号線路７２も５ｍ以上の長いものとなって、その信号線路７２のインピーダンスが高まり、その信号線路７２を伝わるインク吐出信号の伝送損失や反射損失が大きくなるからである。そして、その信号線路７２を伝わるインク吐出信号の波形が、だれた変形波となって、そのだれた変形波の信号線路７２を受けるインクジェットヘッドのインク吐出素子５０が、前述と同様に、複雑に乱れたあいまい動作をするからである。
【０００７】
なお、従来のＦＦＣ７０には、インク吐出信号を伝える信号線路７２の外に、同じ色系統の他の信号を伝える線路７２や電力供給用の線路７２などが並べて配置されているのが、通常である。しかしながら、それらの線路７２を流れる電流は、インク吐出信号用の信号線路７２を流れる電流に比べて、微弱であって、それらの線路７２の間、及びそれらの線路７２とインク吐出信号用の信号線路７２との間におけるクロストークの発生は、無視できる。
【０００８】
また、従来の１枚のＦＦＣ７０には、同一の色系統のインク吐出信号を伝える複数の信号線路７２が纏めて縦に並べて配置されている。しかしながら、その同一の色系統の複数の信号線路７２の間には、ＦＦＣ７０の設計時等において、十分な間隔が予め設定されている。そのために、その１枚のＦＦＣ７０に纏めて縦に並べて配置された同一の色系統のインク吐出信号を伝える信号線路７２の間では、クロストークが発生する恐れはない。
【０００９】
本発明は、このような課題に鑑みてなされたもので、その目的は、上記のような、インク吐出信号を伝える複数の信号線路の間におけるクロストークの発生を抑えて、プリンタ制御装置からインクジェットヘッドに雑信号を含まない整然とした正波形のインク吐出信号を常に的確に伝えることのできる、インクジェットプリンタのインクジェットヘッドに伝えるインク吐出信号の線路構造（以下、インク吐出信号の線路構造という）を提供しようとするものである。
【００１０】
【課題を解決するための手段】
このような目的を達成するために、本発明のインク吐出信号の線路構造は、
インクジェットプリンタのインクジェットヘッドの複数のノズルのそれぞれからインク滴を吐出させるインクジェットヘッドに内蔵された複数のインク吐出素子のそれぞれを駆動制御する異なる色系統及び同一の色系統のインク吐出信号を伝える複数の信号線路が、その複数の信号線路の間でクロストークが発生するのを防ぐのに必要な間隔を互いにあけて、１枚のＦＦＣに纏めて並べて配置されたことを特徴としている。
【００１１】
このような構成のインク吐出信号の線路構造においては、異なる色系統及び同一の色系統のインク吐出信号を伝える複数の信号線路が、その複数の信号線路の間でクロストークが発生しないように、互いに間隔をあけて、１枚のＦＦＣに纏めて並べて配置されているために、その１枚のＦＦＣの中途部をＵ字状等に折り曲げたり、その１枚のＦＦＣの中途部を左右に移動させたり曲げたり捻ったり等しても、そのインク吐出信号を伝える複数の信号線路が上下に接近して互いに重なり合うのを、確実に防ぐことができる。即ち、その１枚のＦＦＣの中途部をＵ字状等に折り曲げたり、その１枚のＦＦＣの中途部を左右に移動させたり曲げたり捻ったり等しても、その１枚のＦＦＣに纏めて並べて配置されたインク吐出信号を伝える複数の信号線路を、常に互いに一定以上の間隔をあけた状態に保つことができる。
その結果、その１枚のＦＦＣに纏めて並べて配置された異なる色系統及び同一の色系統のインク吐出信号を伝える複数の信号線路の間で、クロストークが発生するのを、確実に防ぐことができる。そして、その１枚のＦＦＣに纏めて並べて配置された複数の信号線路のそれぞれを通して、異なる色系統及び同一色系統のインク吐出信号を、プリンタ制御装置からインクジェットヘッドに、雑信号を混入させずに、変形のない正波形状態のまま伝えることが可能となる。そして、その信号線路を通してインクジェットヘッドに伝えられるインク吐出信号により、インクジェットヘッドに内蔵されたインク吐出素子を常に的確なタイミングで正常動作させることが可能となる。
【００１２】
本発明のインクジェットヘッドへのインク吐出信号の線路構造においては、その１枚のＦＦＣの直上又は／及び直下に、複数のグランド線路が所定間隔づつあけて並べて配置されたグランドＦＦＣを、その複数のグランド線路のそれぞれの上方又は下方に前記１枚のＦＦＣに並べて配置された複数の信号線路のそれぞれを位置させて、重ねて配置すると良い。
その場合には、その１枚のＦＦＣに纏めて並べて配置されたインク吐出信号を伝える複数の信号線路のそれぞれのインピーダンスを、その上方又は下方に配置されたグランドＦＦＣのグランド線路により、低下させることができる。そして、そのインピーダンスの低下した複数の信号線路のそれぞれを通して、インク吐出信号を、その波形をだれさせて変形させることなく、プリンタ制御装置からインクジェットヘッドに伝送損失、反射損失少なく的確に伝えることが可能となる。
【００１３】
上記のような構成のインク吐出信号の線路構造においては、そのグランドＦＦＣに並べて配置された複数のグランド線路のそれぞれを、そのグランド線路の上方又は下方に配置されたの信号線路を伝わるインク吐出信号の戻り電流を伝える線路に構成すると良い。
その場合には、そのインク吐出信号を伝える複数の信号線路が纏めて並べて配置された１枚のＦＦＣに、その複数の信号線路のそれぞれを伝わるインク吐出信号の戻り電流を伝える線路を別途設ける必要をなくすことができる。そして、その分、そのインク吐出信号を伝える複数の信号線路が纏めて並べて配置された１枚のＦＦＣをコンパクト化、簡易化できる。
【００１４】
本発明のインク吐出信号の線路構造においては、前記グランドＦＦＣに代えて、前記インク吐出信号を伝える複数の信号線路が纏めて並べて配置された１枚のＦＦＣに、グランドプレーンで周囲側面が覆われたシールドＦＦＣを用いても良い。
その場合には、そのシールドＦＦＣの周囲を覆うグランドプレーンにより、そのシールドＦＦＣ内側に纏めて並べて配置されたインク吐出信号を伝える複数の信号線路を、同軸線路に近い構造とすることができる。そして、その複数の信号線路のインピーダンスを低下させて、その複数の信号線路のそれぞれを通して、インク吐出信号を、その波形をだれさせて変形させることなく、プリンタ制御装置からインクジェットヘッドに伝送損失、反射損失少なく的確に伝えることが可能となる。
【００１５】
本発明のインク吐出信号の線路構造においては、前記グランドＦＦＣ又はシールドＦＦＣに代えて、前記インク吐出信号を伝える複数の信号線路が纏めて並べて配置された１枚のＦＦＣの直上又は／及び直下に、グランドプレーンを配置しても良い。
その場合にも、そのインク吐出信号を伝える複数の信号線路が纏めて並べて配置された１枚のＦＦＣの直上又は／及び直下に配置されたグランドプレーンにより、その１枚のＦＦＣに纏めて並べて配置されたインク吐出信号を伝える複数の信号線路のインピーダンスを低下させて、その複数の信号線路のそれぞれを通して、インク吐出信号を、その波形をだれさせて変形させることなく、プリンタ制御装置からインクジェットヘッドに伝送損失、反射損失少なく的確に伝えることが可能となる。
【００１６】
本発明のインク吐出信号の線路構造においては、前記インク吐出信号を伝える信号線路が纏めて並べて配置された１枚のＦＦＣの端部に接続される、プリンタ制御装置又は／及びインクジェットヘッドの制御基板に形成されたインク吐出信号を伝える複数の信号線路を、上下に重なり合ったり、互いに接近したりして、その複数の信号線路の間でクロストークが発生しないように、互いに離して配置すると良い。
その場合には、その制御基板に形成されたインク吐出信号を伝える複数の信号線路が、上下に重なり合ったり、互いに接近したりしないように、互いに離して配置されているために、その制御基板に形成された複数の信号線路の間で、クロストークが発生するのを、防ぐことができる。そして、その制御基板に形成された複数の信号線路のそれぞれを、インク吐出信号を、雑信号を混入させずに、整然とした正波形状態のまま的確に伝えることが可能となる。
【００１７】
上記のような構成の制御基板においては、その制御基板に形成されたインク吐出信号を伝える複数の信号線路の上方又は／及び下方に、グランドパターンを配置すると良い。
その場合には、そのインク吐出信号を伝える複数の信号線路が形成された制御基板の上方又は／及び下方に配置されたグランドパターンにより、その制御基板に形成された複数の信号線路のインピーダンスを低下させて、その複数の信号線路のそれぞれを、インク吐出信号を伝送損失、反射損失少なく的確に伝えることが可能となる。
【００１８】
【発明の実施の形態】
図１（ｂ）は本発明のインク吐出信号の線路構造の好適な実施の形態を示し、図１（ｂ）はその概略構造説明図である。以下に、このインク吐出信号の線路構造を説明する。
【００１９】
このインク吐出信号の線路構造においては、図１（ｂ）に示されたように、インクジェットプリンタのインクジェットヘッドの複数のノズル３２のそれぞれからインク滴を吐出させるインクジェットヘッド３０に内蔵された複数のインク吐出素子５０のそれぞれを駆動制御する異なる色系統及び同一の色系統のインク吐出信号を伝える複数の信号線路７２が、その複数の信号線路７２の間でクロストークが発生するのを防ぐのに必要な間隔を互いにあけて、１枚のＦＦＣ７００に纏めて縦に並べて配置されている。
また、従前のＦＦＣ７０に並べて配置されたその他の信号を伝える線路７２や電力供給用の線路７２などは、従来通り、従前の他のＦＦＣ７０に縦に並べて配置されている。なお、インク吐出信号を伝える複数の信号線路７２が纏めて縦に並べて配置された１枚のＦＦＣ７００に余裕がある場合は、その他の信号を伝える線路７２や電力供給用の線路７２などを、その１枚のＦＦＣ７００にインク吐出信号を伝える信号線路７２と一緒に縦に並べて配置することも、可能である。
【００２０】
図１（ｂ）に示したインク吐出信号の線路構造は、以上のように構成されていて、このような構成のインク吐出信号の線路構造においては、その１枚のＦＦＣ７００の中途部をＵ字状等に折り曲げたり、その１枚のＦＦＣ７００の中途部を左右に移動させたり曲げたり捻ったり等しても、そのインク吐出信号を伝える複数の信号線路７２が上下に接近して互いに重なり合うのを確実に防いで、その１枚のＦＦＣ７００に纏めて縦に並べて配置されたインク吐出信号を伝える複数の信号線路７２を、常に互いに一定以上の間隔をあけた状態に保つことができる。そして、その複数の信号線路７２の間でクロストークが発生するのを、防ぐことができる。
その結果、その１枚のＦＦＣ７００に纏めて縦に並べて配置された複数の信号線路７２のそれぞれを通して、異なる色系統及び同一色系統のインク吐出信号を、プリンタ制御装置６０からインクジェットヘッド３０に、雑信号を混入させずに、整然とした正波形状態のまま伝えることができる。そして、その信号線路７２を通してインクジェットヘッド３０に伝えられるインク吐出信号により、インクジェットヘッド３０に内蔵されたインク吐出素子５０を常に的確なタイミングで正常動作させることができる。
【００２１】
このインク吐出信号の線路構造においては、図２に示したように、その１枚のＦＦＣ７００の直上又は／及び直下に、複数のグランド線路７６が所定間隔づつあけて縦に並べて配置されたグランドＦＦＣ７１０を、その複数のグランド線路７６のそれぞれの上方又は下方に前記１枚のＦＦＣ７００に縦に並べて配置された複数の信号線路７２のそれぞれを位置させて、重ねて配置すると良い。
そして、その１枚のＦＦＣ７００に纏めて縦に並べて配置されたインク吐出信号を伝える複数の信号線路７２のそれぞれのインピーダンスを、その直上又は直下に配置されたグランドＦＦＣ７１０のグランド線路７６により低下させて、その複数の信号線路７２のそれぞれを通して、インク吐出信号を、その波形をだれさせて変形させることなく、プリンタ制御装置６０からインクジェットヘッド３０に伝送損失、反射損失少なく的確に伝えられるようにすると良い。そして、１枚のＦＦＣ７００が５ｍ以上等に長く形成されても、その１枚のＦＦＣ７００に配置された長い信号線路７２を通して、インク吐出信号を、その波形が変形してなまらないように、プリンタ制御装置６０からインクジェットヘッド３０に的確に伝えられるようにすると良い。そして、そのインク吐出信号により、ラージフォーマットプリント用の大型のインクジェットプリンタのインクジェットヘッド下面に並ぶノズル３２からも、インク滴を的確に噴射させることができるようにすると良い。
【００２２】
また、そうした場合は、そのグランドＦＦＣ７１０に縦に並べて配置された複数のグランド線路７６のそれぞれを、そのグランド線路７６の上方又は下方に配置されたの信号線路７２を伝わるインク吐出信号の戻り電流を伝える線路に構成すると良い。
そして、そのインク吐出信号を伝える複数の信号線路７２が纏めて縦に並べて配置された１枚のＦＦＣ７００に、その複数の信号線路７２のそれぞれを伝わるインク吐出信号の戻り電流を伝える線路を別途設ける必要をなくして、その１枚のＦＦＣ７００をコンパクト化、簡易化すると良い。
【００２３】
このインク吐出信号の線路構造においては、前記グランドＦＦＣ７１０に代えて、前記インク吐出信号を伝える複数の信号線路７２が纏めて縦に並べて配置された１枚のＦＦＣ７００に、図３に示したような、グランドプレーン７８で周囲側面が覆われたシールドＦＦＣ７２０を用いても良い。シールドＦＦＣ７２０は、複数の信号線路７２が縦に並べて埋設された絶縁樹脂板７７の周囲側面がグランドプレーン７８により連続して覆われた構造とすると良い。
そして、そのシールドＦＦＣ７２０の周囲側面を覆うグランドプレーン７８により、そのシールドＦＦＣ７２０内側に纏めて縦に並べて配置されたインク吐出信号を伝える複数の信号線路７２を、同軸線路に近い構造とすると良い。そして、その複数の信号線路７２のインピーダンスを低下させて、その複数の信号線路７２のそれぞれを通して、インク吐出信号を、その波形が変形してなまらないように、プリンタ制御装置６０からインクジェットヘッド３０に伝送損失、反射損失少なく的確に伝えられるようにすると良い。そして、前述のように、ラージフォーマットプリント用の大型のインクジェットプリンタのインクジェットヘッド下面に並ぶノズル３２からも、インク滴を的確に噴射させることができるようにすると良い。
【００２４】
このインク吐出信号の線路構造においては、前記グランドＦＦＣ７１０又はシールドＦＦＣ７２０に代えて、図４に示したように、前記インク吐出信号を伝える複数の信号線路７２が纏めて縦に並べて配置された１枚のＦＦＣ７００の直上又は／及び直下に、シム板などと呼ばれる薄いフレキシブルな金属板等からなるグランドプレーン７５を配置しても良い。
そして、その１枚のＦＦＣ７００の直上又は／及び直下に配置されたグランドプレーン７５により、その１枚のＦＦＣ７００に纏めて縦に並べて配置されたインク吐出信号を伝える複数の信号線路７２のインピーダンスを低下させて、その複数の信号線路７２のそれぞれを通して、インク吐出信号を、その波形が変形してなまらないように、プリンタ制御装置６０からインクジェットヘッド３０に伝送損失、反射損失少なく的確に伝えられるようにしても良い。そして、前述のように、ラージフォーマットプリント用の大型のインクジェットプリンタのインクジェットヘッド下面に並ぶノズル３２からも、インク滴を的確に噴射させることができるようにしても良い。
【００２５】
このインク吐出信号の線路構造においては、前記インク吐出信号を伝える信号線路７２が纏めて縦に並べて配置された１枚のＦＦＣ７００の端部にコネクタ６４などを介して接続される、プリンタ制御装置又は／及びインクジェットヘッドの制御基板６２に形成されたインク吐出信号を伝える複数の信号線路６６は、図６に示したように、上下に重なり合ったり、互いに接近したりせぬように、互いに所定距離離して配置すると良い。
そして、その制御基板６２に形成されたインク吐出信号を伝える複数の信号線路６６の間でクロストークが発生するのを防いで、その制御基板６２に形成された複数の信号線路６６のそれぞれを、雑信号の混入のない整然とした正波形のインク吐出信号を的確に伝えられようにすると良い。
ここで、従来のプリンタ制御装置又は／及びインクジェットヘッドの制御基板６２に形成されたインク吐出信号を伝える複数の信号線路６６は、図５に示したように、上下に重なり合ったり、互いに接近したりしている。そして、その制御基板６２の高密度配線化、コンパクト化が図られている。
【００２６】
また、その制御基板６２に形成されたインク吐出信号を伝える複数の信号線路６６の上方又は／及び下方には、図７に示したように、グランドパターン６８を配置すると良い。
そして、そのグランドパターン６８により、制御基板６２に形成された複数の信号線路６６のインピーダンスを低下させて、その複数の信号線路６６のそれぞれを、インク吐出信号を、伝送損失、反射損失少なく的確に伝えられるようにすると良い。そして、その信号線路６６を伝わるインク吐出信号の波形がなまって変形するのを、防ぐと良い。
【００２７】
【発明の効果】
以上説明したように、本発明のインク吐出信号の線路構造によれば、その１枚のＦＦＣに纏めて並べて配置された複数の信号線路を、インク吐出信号を、クロストークを発生させずに、雑信号を含まない整然とした変形のない正波形状態のまま効率よく伝えることができる。そして、その信号線路を伝わるインク吐出信号により、インクジェットヘッドに内蔵されたインク吐出素子を的確に動作させて、そのインクジェットヘッド下面に並ぶノズルからインク滴を常に的確に噴射させることができる。そして、そのインクジェットヘッド下方のプラテン上に搭載されたメディア表面に、ドット抜けや汚れや歪みのない美麗な、複数のインクのドットの配列からなる絵図又は／及び文字をプリント可能となる。
【図面の簡単な説明】
【図１】本発明のインク吐出信号の線路構造と従来のインク吐出信号の線路構造との概略構造説明図である。
【図２】本発明のインク吐出信号の線路構造の一部拡大断面図である。
【図３】本発明のインク吐出信号の線路構造の一部拡大断面図である。
【図４】本発明のインク吐出信号の線路構造の一部拡大断面図である。
【図５】従来のインク吐出信号の線路構造の説明図である。
【図６】本発明のインク吐出信号の線路構造の説明図である。
【図７】本発明のインク吐出信号の線路構造の断面図である。
【図８】インクジェットプリンタの概略構造説明図である。
【図９】従来のインク吐出信号の線路構造の一部拡大断面図である。
【図１０】インク吐出信号の波形図である。
【符号の説明】
１０  メディア
２０  プラテン
３０  インクジェットヘッド
５０  インク吐出素子
６０  プリンタ制御装置
６２  制御基板
６４  コネクタ
６６  信号線路
６８  グランドパターン
７２  信号線路
７５、７８  グランドプレーン
７６  グランド線路
７０、７００  ＦＦＣ
７１０  グランドＦＦＣ
７２０  シールドＦＦＣ
【図１】
2005014527.tif 000003
【図２】
2005014527.tif 000004
【図３】
2005014527.tif 000005
【図４】
2005014527.tif 000006
【図５】
2005014527.tif 000007
【図６】
2005014527.tif 000008
【図７】
2005014527.tif 000009
【図８】
2005014527.tif 000010
【図９】
2005014527.tif 000011
【図１０】
2005014527.tif 000012